(57)【要約】  【課題】  給水量検知手段または水位検知手段が故障しても空焚きや、水溢れなどの不具合のない安全性の高い給湯装置を提供することを目的とする。  【解決手段】  給水量検知手段３による給水量と水位検知手段７による水位変化の監視を行い、監視結果に応じて加熱容器４の加熱または給水手段２の出力制御を行うものである。これにより、給水量検知手段３または水位検知手段７が故障しても、監視結果に応じて加熱容器４の加熱または給水手段３の出力制御を行うので、空焚きや、水溢れなどの不具合のない安全性の高い給湯装置が得られる。【選択図】  図１
2005049000.tif 000002
【特許請求の範囲】
【請求項１】
水を加熱する加熱手段を有する加熱容器と、前記加熱容器内に水を給水する給水手段と、給水手段よりの給水量を検知する給水量検知手段と、前記加熱容器内の水位を検知する水位検知手段と、前記給水量検知手段による給水量と水位検知手段による水位変化の監視を行い、監視結果に応じて前記加熱容器の加熱または前記給水手段の出力制御を行う制御手段とを備えた給湯装置。
【請求項２】
制御手段は、給水量検知手段により所定の給水量が検知できないのに、水位検知手段により水位変化を検知したとき、加熱容器の加熱停止または加熱量を制御する請求項１に記載の給湯装置。
【請求項３】
制御手段は、給水量検知手段により所定の給水量を検知できないのに、水位検知手段により水位変化を検知したとき、給水手段により給水を停止または給水量を制御する請求項１に記載の給湯装置。
【請求項４】
数回の給水の累積量を所定の給水量とした請求項２または３に記載の給湯装置。
【請求項５】
給水量検知手段により給水量を検知できないのに、水位検知手段により水位変化を検知したとき、異常を報知する報知手段を備えた請求項２〜４のいずれか１項に記載の給湯装置。
【発明の詳細な説明】
【技術分野】
【０００１】
本発明は、家庭内や事務所等で飲料用水や湯を提供する給湯装置に関するものである。
【背景技術】
【０００２】
従来、給湯装置としては、加熱容器内に給水する時間を計時する計時手段と、加熱容器内の水位を検知する水位検知手段と、計時手段により計時される時間と水位検知手段により検知される水位の変化を監視する監視手段とを備え、所定の時間が計時されたが水位の変化が検知できないときには給水を遮断し、水の溢れを防止するようにしたものが知られている（例えば、特許文献１参照）。
【特許文献１】特開２００２−１４６８７８号公報
【発明の開示】
【発明が解決しようとする課題】
【０００３】
しかしながら、上記従来の構成では、給水時間で給水量を推定しているため、給水水圧の違いにより給水量に誤差が発生するものであった。そこで、給水量検知のために、別途、給水量検知手段を設ければよいが、給水量検知手段が故障した場合は、所定の給水量が検知できず、少水量の水を加熱することによる空焚きや、大水量の給水による水溢れなどの不具合の発生する可能性があった。
【０００４】
本発明は、前記従来の課題を解決するもので、給水量検知手段または水位検知手段が故障しても空焚きや、水溢れなどの不具合のない安全性の高い給湯装置を提供することを目的とするものである。
【課題を解決するための手段】
【０００５】
前記目的を達成するために、本発明の給湯装置は、給水量検知手段による給水量と水位検知手段による水位変化の監視を行い、監視結果に応じて加熱容器の加熱または給水手段の出力制御を行うものである。
【０００６】
これにより、給水量検知手段または水位検知手段が故障しても、監視結果に応じて加熱容器の加熱または給水手段の出力制御を行うので、空焚きや、水溢れなどの不具合のない安全性の高い給湯装置が得られる。
【発明の効果】
【０００７】
以上のように、本発明の給湯装置によれば、、給水量検知手段または水位検知手段が故障しても、監視結果に応じて加熱容器の加熱または給水手段の出力制御を行うので、空焚きや、水溢れなどの不具合のない安全性の高いものとなる。
【発明を実施するための最良の形態】
【０００８】
請求項１に記載の発明は、水を加熱する加熱手段を有する加熱容器と、前記加熱容器内に水を給水する給水手段と、給水手段よりの給水量を検知する給水量検知手段と、前記加熱容器内の水位を検知する水位検知手段と、前記給水量検知手段による給水量と水位検知手段による水位変化の監視を行い、監視結果に応じて前記加熱容器の加熱または前記給水手段の出力制御を行う制御手段とを備えた給湯装置とすることにより、給水量検知手段または水位検知手段が故障しても、監視結果に応じて加熱容器の加熱または給水手段の出力制御を行うので、空焚きや、水溢れなどの不具合のない安全性の高い給湯装置が得られる。
【０００９】
請求項２に記載の発明は、制御手段は、給水量検知手段により所定の給水量が検知できないのに、水位検知手段により水位変化を検知したとき、加熱容器の加熱停止または加熱量を制御する請求項１に記載の給湯装置とすることにより、給水量検知手段または水位検知手段の異常時には、加熱容器の加熱停止または加熱量の制御することで空焚きなどを防止でき、機器の安全性を高めることができる。
【００１０】
請求項３に記載の発明は、制御手段は、給水量検知手段により所定の給水量を検知できないのに、水位検知手段により水位変化を検知したとき、給水手段により給水を停止または給水量を制御する請求項１に記載の給湯装置とすることにより、給水量検知手段または水位検知手段の異常時には、給水手段により給水の停止または給水量を制御することで、加熱容器からの水の溢れを未然に防ぐことができる。
【００１１】
請求項４に記載の発明は、数回の給水の累積量を所定の給水量とした請求項２または３に記載の給湯装置とすることにより、給水と停止が断続的に行われた場合においても、制御手段は給水量と水位の変化を監視し、その結果により給水量検知手段または水位検知手段の異常を検出でき、加熱または給水の出力制御することにより機器の安全性を高めることができる。
【００１２】
請求項５に記載の発明は、給水量検知手段により給水量を検知できないのに、水位検知手段により水位変化を検知したとき、異常を報知する報知手段を備えた請求項２〜４のいずれか１項に記載の給湯装置とすることにより、給水量検知手段または水位検知手段の故障であることを報知手段による報知で利用者は知ることができ、早急に修理または交換を行うことができる。
【実施例１】
【００１３】
以下、本発明の実施例について、図面を用いて説明する。
【００１４】
図において、１は水道管、２は弁を開閉することにより水道管１から加熱容器５に給水の制御を行う給水手段、３は給水手段３よりの給水量を検知する給水量検知手段である。この給水量検知手段３は、図示していないが、水が通過すると内部の羽根が回転し、その回転軸には磁石が取り付けられ、磁石の通過回数をホールＩＣで検知して、ホールＩＣからのパルス数をカウントすることにより通過水量を検知する仕組みとなっている。４は水道管１と、給水手段２および給水量検知手段３を介して接続され、内部に水を貯水して加熱する加熱容器である。加熱容器４の底部には、貯水された水を加熱または保温する加熱手段５と加熱容器４内の水の温度を検知するサーミスタ６が取り付けられている。７は加熱容器４内の水の水位を検知する水位検知手段で、コモン電極７ａと対向する電極６ｂ、６ｃ間に流れる電流により水の有無を検知して水位を検知する。８は加熱容器４の水（湯）を排出するポンプである。９は給水量検知手段３による給水量と水位検知手段７による水位変化の監視を行い、監視結果に応じて前記加熱容器４の加熱または前記給水手段２の出力制御を行う、マイクロコンピュータ等で構成された制御手段である。１０はＬＥＤ、ブザーなどの報知手段１０で、給水量検知手段３または水位検知手段７が故障するなどの異常時には報知を行い、利用者に給水量検知手段３または水位検知手段７の修理、交換を促すものである。１１はキッチン１２上に配置した出湯口で、ポンプ８の駆動により水（湯）を排出するようになっている。
【００１５】
次に、上記した給湯装置の実際の動作について説明する。
【００１６】
電源を投入すると、給水手段２により水道管１から水が給水量検知手段３を介して加熱容器５に給水される。給水量検知手段３は通過水量を検知し信号を制御手段９に送る。また、水位検知手段７のコモン電極７ａと電極７ｂ、６ｃ間それぞれには所定の電圧が印加されており、加熱容器４が空の状態から給水され、電極７ｂの先端に水が到達するとコモン電極７ａと電極７ｂ間に電流が流れ、その電流を検知して電極７ｂの位置に水位が達したと検知する。さらに、給水により水位が上昇すると同様にコモン電極７ａと電極７ｃ間に電流が流れ、電極７ｃの位置に水位が達したと検知する。水位が電極７ｃの位置に達すると、給水手段２により給水を停止し、加熱手段５をオンし加熱容器４内の水を加熱する。サーミスタ６による検知温度が約９５℃に達すると、制御装置９は加熱手段５をオン、オフしながら保温を行う。また、利用者によりポンプ８を駆動されて加熱容器４内の水（湯）が排出されて水位が電極７ｂの位置よりも低くなると、再び給水手段２により給水を開始する。制御手段９は電極７ｂの水位から電極７ｃに達する水量もしくは若干多めの水量（電極７ｂから電極７ｃに達する水量の５〜３０％増し程度の水量）を予め所定水量として記憶し、給水を開始し電極７ｂに水位が達してから、給水量検知手段３により所定水量が検知できないのに電極７ｃに水位が達したという信号が入った時、給水量検知手段３または水位検知手段７が異常であると判断し、加熱または給水手段２の出力制御、すなわち、加熱停止または加熱量制御あるいは給水停止または給水量制御を行う。また、報知手段１０により異常であることの報知を行い、利用者に給水量検知手段３または水位検知手段７の修理、交換を促すものである。
【００１７】
ここで、検知できる水位を２点としたが、電極数を増やすことにより異常検知の精度を上げることもできる。また、給水量としては、数回の給水の累積量を所定の給水量とすることもできるものであり、給水と停止が断続的に行われた場合においても、制御手段９は給水量と水位の変化を監視し、その結果により給水量検知手段３または水位検知手段７の異常を検出でき、加熱または給水の出力制御することにより機器の安全性を高めることができる。
【図面の簡単な説明】
【００１８】
【図１】本発明の実施例における給湯装置の構成を示す断面図
【符号の説明】
【００１９】
２  給水手段
３  給水量検知手段
４  加熱容器
７  水位検知手段
９  制御手段
１０  報知手段
【図１】
2005049000.tif 000003